(57)【要約】【構成】被写界を表す光学像は、ズームレンズ１２を経てイメージセンサ１８の撮像面１８ｆに照射される。ＣＰＵ３０は、有効画像エリアに相当するサイズの第１読み出しエリアを撮像面１８ｆに割り当てる。ズームレンズ１２は、ズームボタン６０によって指定された位置に配置される。ビデオエンコーダ４８は、第１読み出しエリアで生成された被写界像に基づく動画像をＬＣＤモニタ５０に表示する。シャッタボタン５８が全押しされると、有効画像エリアよりも小さいサイズを有する第２読み出しエリアが撮像面１８ｆに割り当てられる。ＣＰＵ３０は、所定距離だけワイド側の位置にズームレンズ１２を移動させる。第２読み出しエリアで生成された被写界像は、記録処理によって記録媒体５４に記録される。【効果】画角の相違に起因する違和感の解消と、記録のために必要とされるメモリ容量の抑制とが実現される。【選択図】図１
2007208359.tif 000002
【特許請求の範囲】
【請求項１】
被写界を表す光学像を収束させるレンズ、
前記レンズによって収束された光学像が照射される撮像面を有する撮像手段、
第１サイズを有する第１読み出しエリアを前記撮像面に割り当てる第１割り当て手段、
前記第１割り当て手段の割り当て処理に関連して第１位置に前記レンズを配置する第１配置手段、
前記第１読み出しエリアで生成された被写界像に基づく動画像を表示する表示手段、
記録指示を受け付けたとき前記第１サイズよりも小さい第２サイズを有する第２読み出しエリアを前記撮像面に割り当てる第２割り当て手段、
前記第２割り当て手段の割り当て処理に関連して前記第１位置よりもワイド側の第２位置に前記レンズを配置する第２配置手段、および
前記第２読み出しエリアで生成された被写界像に記録処理を施す記録手段を備える、電子カメラ。
【請求項２】
前記記録指示に応答して前記表示手段に表示処理の中断を要求する要求手段をさらに備え、
前記第２割り当て手段は前記要求手段の要求によって前記表示手段の表示処理が中断された後に割り当て処理を実行する、請求項１記載の電子カメラ。
【請求項３】
前記第２位置は、前記第２読み出しエリアに照射される光学像の画角が前記第１読み出しエリアに照射される光学像の画角と一致する位置である、請求項１または２記載の電子カメラ。
【請求項４】
前記撮像面を遮光する遮光手段、および
前記記録手段によって記録処理を施される被写界像に重畳されたノイズを前記遮光手段による遮光状態で前記第２読み出しエリアで生成される黒画像に基づいて低減する低減手段をさらに備える、請求項１ないし３のいずれかに記載の電子カメラ。
【請求項５】
前記記録手段によって記録処理を施される被写界像を生成するための露光量を決定する決定手段、
前記決定手段によって決定された露光量が閾値を上回るか否かを判別する第１判別手段、および
前記第２配置手段による配置処理が可能であるか否かを判別する第２判別手段をさらに備え、
前記低減手段は前記第１判別手段の判別結果および前記第２判別手段の判別結果がいずれも肯定的であるとき低減処理を実行する、請求項４記載の電子カメラ。
【請求項６】
被写界を表す光学像を収束させるレンズ、および前記レンズによって収束された光学像が照射される撮像面を有する撮像手段を備える電子カメラのプロセサに、
第１サイズを有する第１読み出しエリアを前記撮像面に割り当てる第１割り当てステップ、
前記第１割り当てステップの割り当て処理に関連して第１位置に前記レンズを配置する第１配置ステップ、
前記第１読み出しエリアで生成された被写界像に基づく動画像を表示する表示ステップ、
記録指示を受け付けたとき前記第１サイズよりも小さい第２サイズを有する第２読み出しエリアを前記撮像面に割り当てる第２割り当てステップ、
前記第２割り当てステップの割り当て処理に関連して前記第１位置よりもワイド側の第２位置に前記レンズを配置する第２配置ステップ、および
前記第２読み出しエリアで生成された被写界像に記録処理を施す記録ステップを実行させるための、撮影制御プログラム。
【請求項７】
被写界を表す光学像を収束させるレンズ、および前記レンズによって収束された光学像が照射される撮像面を有する撮像手段を備える電子カメラの撮影制御方法であって、
(a) 第１サイズを有する第１読み出しエリアを前記撮像面に割り当て、
(b) 前記ステップ(a)の割り当て処理に関連して第１位置に前記レンズを配置し、
(c) 前記第１読み出しエリアで生成された被写界像に基づく動画像を表示し、
(d) 記録指示を受け付けたとき前記第１サイズよりも小さい第２サイズを有する第２読み出しエリアを前記撮像面に割り当て、
(e) 前記ステップ(d)の割り当て処理に関連して前記第１位置よりもワイド側の第２位置に前記レンズを配置し、そして
(f) 前記第２読み出しエリアで生成された被写界像に記録処理を施す、撮影制御方法。
【発明の詳細な説明】
【技術分野】
【０００１】
この発明は、電子カメラに関し、特にたとえば撮像面で生成された被写界像から固定パターンノイズ（暗電流ノイズ）を除去する、電子カメラに関する。
【背景技術】
【０００２】
従来のこの種の装置の一例が、特許文献１に開示されている。この従来技術によれば、メカニカルシャッタが開口された状態でイメージセンサを露光することで被写体を表す本画像が得られ、メカニカルシャッタが閉口された状態でイメージセンサを露光することでイメージセンサの固定パターンノイズが重畳された黒画像が得られる。本画像に重畳された固定パターンノイズは、本画像から黒画像を減算することで除去される。
【特許文献１】特開２００４−２３３３１号公報［H04N 5/335］
【発明の開示】
【発明が解決しようとする課題】
【０００３】
しかし、従来技術では、本画像および黒画像の両方をメモリに格納する必要があるため、メモリ容量が増大するという問題がある。
【０００４】
それゆえに、この発明の主たる目的は、メモリ容量を抑制することができる、電子カメラを提供することである。
【課題を解決するための手段】
【０００５】
請求項１の発明に従う電子カメラ(10)は、被写界を表す光学像を収束させるレンズ(12)、レンズによって収束された光学像が照射される撮像面を有する撮像手段(18)、第１サイズを有する第１読み出しエリアを撮像面に割り当てる第１割り当て手段(S7)、第１割り当て手段の割り当て処理に関連して第１位置にレンズを配置する第１配置手段(S1, S17)、第１読み出しエリアで生成された被写界像に基づく動画像を表示する表示手段(S13)、記録指示を受け付けたとき第１サイズよりも小さい第２サイズを有する第２読み出しエリアを撮像面に割り当てる第２割り当て手段(S73)、第２割り当て手段の割り当て処理に関連して第１位置よりもワイド側の第２位置にレンズを配置する第２配置手段(S71)、および第２読み出しエリアで生成された被写界像に記録処理を施す記録手段(S47)を備える。
【０００６】
被写界を表す光学像は、レンズによって収束される。収束された光学像は、撮像手段が有する撮像面に照射される。第１割り当て手段は、第１サイズを有する第１読み出しエリアを撮像面に割り当てる。レンズは、第１割り当て手段の割り当て処理に関連して、第１配置手段によって第１位置に配置される。表示手段は、第１読み出しエリアで生成された被写界像に基づく動画像を表示する。
【０００７】
記録指示を受け付けると、第１サイズよりも小さい第２サイズを有する第２読み出しエリアが、第２割り当て手段によって撮像面に割り当てられる。第２配置手段は、第２割り当て手段の割り当て処理に関連して、第１位置よりもワイド側の第２位置にレンズを配置する。第２読み出しエリアで生成された被写界像は、記録手段によって記録処理を施される。
【０００８】
したがって、記録指示を受け付ける前は、第１サイズを有する第１読み出しエリアが撮像面に割り当てられるとともにレンズが第１位置に配置され、第１読み出しエリアで生成された被写界像に基づく動画像が表示される。
【０００９】
記録指示を受け付けると、第２サイズを有する第２読み出しエリアが撮像面に割り当てられるとともに、レンズが第２位置に配置され、第２読み出しエリアで生成された被写界像が記録処理を施される。
【００１０】
ここで、第２サイズは第１サイズよりも小さく、第２位置は第１位置よりもワイド側に位置する。これによって、記録処理を施される被写界像の画角を表示される被写界像の画角と一致させつつ、記録処理を施される被写界像の画素数を低減させることができる。この結果、画角の相違に起因する違和感の解消と、記録のために必要とされるメモリ容量の抑制とが図られる。
【００１１】
請求項２の発明に従う電子カメラは、請求項１に従属し、記録指示に応答して表示手段に表示処理の中断を要求する要求手段(S37)をさらに備え、第２割り当て手段は要求手段の要求によって表示手段の表示処理が中断された後に割り当て処理を実行する。
【００１２】
したがって、記録指示を受け付けると、被写界を表す動画像の表示が中断される。レンズの配置は、表示中断の後に変更される。これによって、被写界像の倍率が変動する状況が表示される現象を回避することができる。
【００１３】
請求項３の発明に従う電子カメラは、請求項１または２に従属し、第２位置は、第２読み出しエリアに照射される光学像の画角が第１読み出しエリアに照射される光学像の画角と一致する位置である。これによって、画角の相違に起因する違和感が解消される。
【００１４】
請求項４の発明に従う電子カメラは、請求項１ないし３のいずれかに従属し、撮像面を遮光する遮光手段(14, S83)、および記録手段によって記録処理を施される被写界像に重畳されたノイズを遮光手段による遮光状態で第２読み出しエリアで生成される黒画像に基づいて低減する低減手段(S93)をさらに備える。
【００１５】
請求項５の発明に従う電子カメラは、請求項４に従属し、記録手段によって記録処理を施される被写界像を生成するための露光量を決定する決定手段(S23)、決定手段によって決定された露光量が閾値を上回るか否かを判別する第１判別手段(S25)、および第２配置手段による配置処理が可能であるか否かを判別する第２判別手段(S27)をさらに備え、低減手段は第１判別手段の判別結果および第２判別手段の判別結果がいずれも肯定的であるとき低減処理を実行する。
【００１６】
請求項６の発明に従う撮影制御プログラムは、被写界を表す光学像を収束させるレンズ(12)、およびレンズによって収束された光学像が照射される撮像面を有する撮像手段(18)を備える電子カメラ(10)のプロセサ(30)に、第１サイズを有する第１読み出しエリアを撮像面に割り当てる第１割り当てステップ(S7)、第１割り当てステップの割り当て処理に関連して第１位置にレンズを配置する第１配置ステップ(S1, S17)、第１読み出しエリアで生成された被写界像に基づく動画像を表示する表示ステップ(S13)、記録指示を受け付けたとき第１サイズよりも小さい第２サイズを有する第２読み出しエリアを撮像面に割り当てる第２割り当てステップ(S73)、第２割り当てステップの割り当て処理に関連して第１位置よりもワイド側の第２位置にレンズを配置する第２配置ステップ(S71)、および第２読み出しエリアで生成された被写界像に記録処理を施す記録ステップ(S47)を実行させるための、撮影制御プログラムである。
【００１７】
請求項７の発明に従う撮影制御方法は、被写界を表す光学像を収束させるレンズ(12)、およびレンズによって収束された光学像が照射される撮像面を有する撮像手段(18)を備える電子カメラ(10)の撮影制御方法であって、(a)第１サイズを有する第１読み出しエリアを撮像面に割り当て、(b)ステップ(a)の割り当て処理に関連して第１位置にレンズを配置し、(c)第１読み出しエリアで生成された被写界像に基づく動画像を表示し、(d)記録指示を受け付けたとき第１サイズよりも小さい第２サイズを有する第２読み出しエリアを撮像面に割り当て、(e)ステップ(d)の割り当て処理に関連して第１位置よりもワイド側の第２位置にレンズを配置し、そして(f)第２読み出しエリアで生成された被写界像に記録処理を施す、撮影制御方法である。
【発明の効果】
【００１８】
この発明によれば、記録指示を受け付けたときに注目される第２読み出しエリアのサイズは記録指示を受け付ける前に注目される第１読み出しエリアのサイズよりも小さく、記録指示を受け付けたときに配置されるレンズの位置は、記録指示を受け付ける前に配置されるレンズの位置よりもワイド側である。これによって、記録処理を施される被写界像の画角を表示される被写界像の画角と一致させつつ、記録処理を施される被写界像の画素数を低減させることができる。この結果、画角の相違に起因する違和感の解消と、記録のために必要とされるメモリ容量の抑制とが図られる。
【００１９】
この発明の上述の目的，その他の目的，特徴および利点は、図面を参照して行う以下の実施例の詳細な説明から一層明らかとなろう。
【発明を実施するための最良の形態】
【００２０】
図１を参照して、この実施例のディジタルカメラ（電子カメラ）１０は、ズームレンズ１２およびメカニカルシャッタ１４を含む。被写界を表す光学像は、ズームレンズ１２およびメカニカルシャッタ１４を経て、イメージセンサ１８の撮像面１８ｆに照射される。撮像面１８ｆは、原色ベイヤ配列を有する色フィルタ（図示せず）によって覆われる。色フィルタを構成する複数のフィルタ要素は、撮像面を形成する複数の受光素子にそれぞれ対応する。したがって、各々の受光素子で生成される電荷量は、Ｒ(Red)、Ｇ(Green)およびＢ(Blue)のいずれか１つの光量を反映する。なお、受光素子は、“画素”と定義してもよい。
【００２１】
電源が投入されると、ＣＰＵ３０は、ズームレンズ１２の初期位置への配置をドライバ１６ａに命令し、初期値を示す露光時間をＴＧ／ＳＧ(Timing Generator / Signal Generator)２０に設定し、そしてメカニカルシャッタ１４の開口をドライバ１６ｂに命令する。
【００２２】
ＣＰＵ３０はまた、図２に示す要領で撮像面１８ｆに形成された有効画像エリア全域に読み出しエリアＲ１を割り当て、かつこの読み出しエリアＲ１で生成された電荷を間引き態様で読み出すべく、対応する命令をＴＧ／ＳＧ２０に与える。ＣＰＵ３０はさらに、スイッチＳＷ１およびＳＷ２を端子Ｔ１およびＴ３にそれぞれ接続し、ビデオエンコーダ４８を起動する。
【００２３】
ＴＧ／ＳＧ２０は、垂直同期信号Ｖｓｙｎｃを１／３０秒毎に発生し、これに同期する複数のタイミング信号をイメージセンサ１８およびＣＤＳ／ＡＧＣ／ＡＤ回路２２の各々に与える。イメージセンサ１８の撮像面は、垂直同期信号Ｖｓｙｎｃが発生する毎にプリ露光を施され、読み出しエリアＲ１で生成された電荷は、ラスタ走査による間引き読み出しを施される。読み出された電荷によって形成される低解像度の生画像信号は、３０ｆｐｓのフレームレートを有する。
【００２４】
ＣＤＳ／ＡＧＣ／ＡＤ回路２２は、イメージセンサ１８から出力された生画像信号に相関２重サンプリング，自動ゲイン調整およびＡ／Ｄ変換の一連の処理を施し、ディジタル信号である生画像データを出力する。ＣＤＳ／ＡＧＣ／ＡＤ回路２２から出力された生画像データは、スイッチＳＷ１およびＳＷ２を経て、信号処理回路２４に与えられる。
【００２５】
信号処理回路２４は、与えられた生画像データに白バランス調整，色分離，ＹＵＶ変換などの処理を施す。これによって生成されたＹＵＶ形式の画像データは、バッファ回路２６およびバスＢ１を経てメモリ制御回路４２に与えられ、メモリ制御回路４２によってＳＤＲＡＭ４４に書き込まれる。
【００２６】
ビデオエンコーダ４８は、こうしてＳＤＲＡＭ４４に格納された画像データをメモリ制御回路４２を通して読み出す。読み出された画像データは、バスＢ１およびバッファ回路４６を経てビデオエンコーダ４８に与えられ、ＮＴＳＣ方式のコンポジットビデオ信号に変換される。変換されたコンポジットビデオ信号はＬＣＤモニタ５０に与えられ、この結果、被写界を表すスルー画像がたとえば図４（Ａ）に示す要領で再現される。
【００２７】
輝度評価回路２８は、信号処理回路２４によって生成された画像データに基づいて、１／３０秒毎に被写界の輝度を評価する。評価結果つまり輝度評価値は、ＣＰＵ３０によるスルー画像用ＡＥ処理に利用される。ＣＰＵ３０は、輝度評価値に基づいて最適露光時間を算出し、算出された最適露光時間に従うプリ露光処理をＴＧ／ＳＧ２０に命令する。この結果、ＬＣＤモニタ５０に表示されるスルー画像の明るさが適度に調整される。
【００２８】
ズームボタン６０が操作されると、ＣＰＵ３０は、光軸方向におけるズームレンズ１２の移動をドライバ１６ａに命令する。ドライバ１６ａは、ズームレンズ１２をワイド側またはテレ側に変位させる。この結果、ＬＣＤモニタ５０に表示されるスルー画像の倍率が変更される。
【００２９】
シャッタボタン５８が半押しされると、ＣＰＵ３０は、記録用ＡＥ処理を実行する。イメージセンサ１８のプリ露光時間は、上述の輝度評価値に基づいてより厳密に調整される。記録用ＡＥ処理によってＴＧ／ＳＧ２０に設定された最適露光時間は、シャッタボタン５８の半押し状態が継続される限り、変更されることはない。
【００３０】
ＣＰＵ３０はさらに、現時点の設定がＮＲ撮影条件を満足するか否かを判別する。ＮＲ撮影条件は、記録用ＡＥ処理によって求められた最適露光時間が閾値である“０．５秒”を上回るという露光量条件と、ズームレンズ１２をワイド側へ所定距離にわたって移動できるというレンズ移動条件とを含む。露光量条件およびレンズ移動条件の両方が満足されれば、ＮＲ撮影処理を要求するべく、フラグＦｎｒが“１”に設定される。一方、露光量条件およびレンズ移動条件の少なくとも一方が満足されなければ、通常撮影処理を要求するべく、フラグＦｎｒが“０”に設定される。
【００３１】
シャッタボタン５８が全押しされると、ＣＰＵ３０は、黒画像の表示をビデオエンコーダ４８に命令する。ビデオエンコーダ４８は、黒画像を表すコンポジットビデオ信号を作成し、作成されたコンポジットビデオ信号をＬＣＤモニタ５０に与える。この結果、スルー画像の表示が中断され、黒画像がＬＣＤモニタ５０の全面に表示される。
【００３２】
ＣＰＵ３０は続いて、スイッチＳＷ１およびＳＷ２を端子Ｔ２およびＴ４にそれぞれ接続する。その後、フラグＦｎｒが“０”であれば通常撮影処理が実行され、フラグＦｎｒが“１”であればＮＲ撮影処理が実行される。
【００３３】
通常撮影処理を実行するとき、ＣＰＵ３０はまず、垂直同期信号Ｖｓｙｎｃの発生に応答して、読み出しエリアＲ１（図４（Ｂ）参照）で生成された電荷の全ての読み出しをＴＧ／ＳＧ２０に命令する。ＣＰＵ３０はさらに、書き込み設定の変更をメモリ制御回路４２に命令する。書き込み設定の変更によって、図３（Ａ）に示す生画像エリア４４ａが書き込み先として設定される。
【００３４】
ＴＧ／ＳＧ２０は、記録用ＡＥ処理によって算出された最適露光期間に従う本露光をイメージセンサ１８に施し、これによって読み出しエリアＲ１で生成された電荷の全てをラスタ走査態様で読み出す。撮像面１８ｆはこのとき、飛び越し態様で走査される。全ての電荷によって形成される高画素数の生画像信号は、２フィールド期間（＝１／３０秒＊２）かけて、イメージセンサ１８から出力される。
【００３５】
ＣＰＵ３０は、１フィールド期間が経過した時点でメカニカルシャッタ１４の閉口をドライバ１６ｂに命令し、２フィールド期間が経過した時点で読み出し処理の中断をＴＧ／ＳＧ２０に命令する。これによって、メカニカルシャッタ１４が閉じられ、かつイメージセンサ１８からの生画像信号の出力が中断される。
【００３６】
イメージセンサ１８から出力された各フィールドの生画像信号は、ＣＤＳ／ＡＧＣ／ＡＤ回路２２で上述と同じ処理を施され、生画像データに変換される。変換された生画像データは、スイッチＳＷ１を経てバッファ回路３２に与えられ、その後バスＢ１およびメモリ制御回路４２を経てＳＤＲＡＭ４４の生画像エリア４４ａに書き込まれる。
【００３７】
ＮＲ撮影処理を実行するとき、ＣＰＵ３０はまず、ドライバ１６ａを通してズームレンズ１２をワイド側に所定距離だけ変位させる。ズームレンズ１２の移動によって、撮像面１８ｆに照射される被写界像は、図４（Ａ）から図４（Ｃ）に変化する。ＣＰＵ３０はまた、上述の読み出しエリアＲ１よりもサイズが小さい読み出しエリアＲ２を図２または図４（Ｃ）に示す要領で有効画像エリアの中央に割り当てるべく、対応する命令をＴＧ／ＳＧ２０に与える。
【００３８】
ズームレンズ１２をワイド側に所定距離だけ移動させることで、ＮＲ撮影時に読み出しエリアＲ２に照射される被写界の画角は、通常撮影時に読み出しエリアＲ１に照射される被写界の画角と一致する。
【００３９】
ＣＰＵ３０は続いて、垂直同期信号Ｖｓｙｎｃの発生に応答して、読み出しエリアＲ２で生成された電荷の全ての読み出しをＴＧ／ＳＧ２０に命令し、書き込み設定の変更をメモリ制御回路４２に命令する。書き込み設定の変更によって、図３（Ｂ）に示す生画像エリア４４ａが書き込み先として指定される。
【００４０】
ＴＧ／ＳＧ２０は、上述と同様、記録用ＡＥ処理によって算出された最適露光期間に従う本露光をイメージセンサ１８に施し、これによって読み出しエリアＲ２で生成された電荷の全てをラスタ走査態様で読み出す。
【００４１】
このときも撮像面は飛び越し態様で走査され、全ての電荷によって形成される高画素数の生画像信号は２フィールド期間かけてイメージセンサ１８から出力される。出力された各フィールドの生画像信号は、ＣＤＳ／ＡＧＣ／ＡＤ回路２２で生画像データに変換された後、ＳＤＲＡＭ４４の生画像エリア４４ａに書き込まれる。
【００４２】
ＣＰＵ３０は、１フィールド期間が経過した時点でドライバ１６ｂを通してメカニカルシャッタ１４を閉じ、２フィールド期間が経過した時点で書き込み設定の変更をメモリ制御回路４２に命令する。書き込み設定の変更によって、図３（Ｂ）に示すバッファエリア４４ｂが書き込み先として設定される。
【００４３】
ＴＧ／ＳＧ２０は引き続き、記録用ＡＥ処理によって算出された最適露光期間に従う本露光をイメージセンサ１８に施し、これによって読み出しエリアＲ２で生成された電荷の全てを飛び越し走査態様で読み出す。ただし、メカニカルシャッタ１４が閉じられているため、イメージセンサ１８から出力される２フィールドの生画像信号は、黒画像を表す。
【００４４】
出力された生画像信号は、ＣＤＳ／ＡＧＣ／ＡＤ回路２２で生画像データに変換された後、スイッチＳＷ１，バッファ回路３２，バスＢ１およびメモリ制御回路４２を経て、ＳＤＲＡＭ４４のバッファエリア４４ｂに書き込まれる。ＴＧ／ＳＧ２０による読み出し処理は、黒画像を表す生画像信号がイメージセンサ１８から出力された後に、ＣＰＵ３０の中断命令によって中断される。
【００４５】
こうして生画像エリア４４ａおよびバッファエリア４４ｂの各々に格納された生画像データは、イメージセンサ１８の固定パターンノイズを含む。ＣＰＵ３０は、黒画像を表す生画像データに重畳された固定パターンノイズを利用して、被写界を表す生画像データから固定パターンノイズを低減する。このようなノイズ低減処理が完了すると、ＣＰＵ３０は、ドライバ１６ａを通してズームレンズ１２をテレ側に所定距離だけ変位させる。ズームレンズ１２は、元の位置に戻る。
【００４６】
上述のような通常撮影処理またはＮＲ撮影処理が完了すると、ＣＰＵ３０は、ＳＤＲＡＭ４４に格納された高画素数の生画像データに記録処理を施すべく、信号処理回路２４，ＪＰＥＧエンコーダ３８およびＩ／Ｆ５２に命令を与える。信号処理回路２４は、ＳＤＲＡＭ４４に格納された生画像データを、メモリ制御回路４２を通してプログレッシブ走査態様で読み出す。読み出された生画像データは、バスＢ１，バッファ回路３４およびスイッチＳＷ２を介して信号処理回路２４に与えられ、ＹＵＶ形式の画像データに変換される。変換された画像データはバッファ回路２６およびバスＢ１を介してメモリ制御回路４２に与えられ、メモリ制御回路４２によってＳＤＲＡＭ４４に書き込まれる。
【００４７】
ＪＰＥＧエンコーダ３８は、ＳＤＲＡＭ４４に格納された画像データをメモリ制御回路４２を通して読み出す。読み出された画像データは、バスＢ１およびバッファ回路３６を経てＪＰＥＧエンコーダ３８に与えられ、ＪＰＥＧ圧縮を施される。これによって生成された圧縮画像データは、バッファ回路４０およびバスＢ１を経てメモリ制御回路４２に与えられ、これによってＳＤＲＡＭ４４のバッファエリア４４ｂ（図３（Ａ），図３（Ｂ）参照）に書き込まれる。Ｉ／Ｆ５２は、バッファエリア４４ｂに格納された圧縮画像データをメモリ制御回路４２を通して読み出し、読み出された圧縮画像データをファイル形式で記録媒体５４に記録する。
【００４８】
ＣＰＵ３０は、具体的には、図５〜図９に示すフロー図に従う処理を実行する。なお、このフロー図に対応する撮影制御プログラムは、フラシュメモリ５６に記憶される。
【００４９】
まず図５に示すステップＳ１で、ドライバ１６ａを通してズームレンズ１２を初期位置に配置する。ステップＳ３では初期値を示す露光時間をＴＧ／ＳＧ２０に設定し、ステップＳ５ではドライバ１６ｂを通してメカニカルシャッタ１４を開口する。ステップＳ７では、撮像面１８ｆに形成された有効画像エリアの全域に読み出しエリアＲ１を割り当てる命令をＴＧ／ＳＧ２０に与え、ステップＳ９では、間引き態様での読み出しの実行をＴＧ／ＳＧ２０に命令する。ステップＳ１１ではスイッチＳＷ１およびＳＷ２を端子Ｔ１およびＴ３にそれぞれ接続し、ステップＳ１３ではビデオエンコーダ４８を起動する。この結果、被写界を表すスルー画像が、図４（Ａ）に示す要領でＬＣＤモニタ５０に表示される。
【００５０】
ステップＳ１５ではズームボタン６０が操作されたか否かを判別し、ステップＳ１７ではシャッタボタン５８が半押しされたか否かを判別する。ステップＳ１５でＹＥＳであれば、ステップＳ１７でドライバ１６ａを通してズームレンズ１２を光軸方向に移動させる。ステップＳ１５およびＳ１９のいずれでもＮＯであれば、ステップＳ２１でスルー画像用ＡＥ処理を実行する。再現されるスルー画像の倍率はステップＳ１７の処理によって変化し、再現されるスルー画像の明るさはステップＳ２１の処理によって調整される。
【００５１】
ステップＳ１９でＹＥＳであれば、現時点でＴＧ／ＳＧ２０に設定されている露光時間が“０．５秒”以上であるか否かをステップＳ２５で判別し、ズームレンズ１２をワイド側に所定距離にわたって移動できるか否かをステップＳ２７で判別する。ステップＳ１９およびＳ２７のいずれもＹＥＳであれば、ＮＲ撮影条件が満足されたとみなし、ステップＳ２９でフラグＦｎｒを“１”に設定する。ステップＳ１９およびＳ２７の少なくとも一方でＮＯであれば、ＮＲ撮影条件は満足されなかったとみなし、フラグＦｎｒを“０”に設定する。
【００５２】
ステップＳ３３ではシャッタボタン５８が全押しされたか否かを判別し、ステップＳ３５ではシャッタボタン５８の操作が解除されたか否かを判別する。ステップＳ３３でＹＥＳであればステップＳ３７に進み、ステップＳ３５でＹＥＳであればステップＳ１５に戻る。
【００５３】
ステップＳ３７では、黒画像の表示をビデオエンコーダ４８に命令する。この結果、スルー画像に代えて黒画像がＬＣＤモニタ５０に表示される。ステップＳ３９では、スイッチＳＷ１およびＳＷ２を端子Ｔ２およびＴ４にそれぞれ接続し、ステップＳ４１でフラグＦｎｒの状態を判別する。
【００５４】
フラグＦｎｒが“０”であればステップＳ４３で通常撮影処理を実行し、フラグＦｎｒが“１”であればステップＳ４５でＮＲ撮影処理が実行する。この結果、被写界を表す生画像データがＳＤＲＡＭ４４の生画像エリア４４ａに確保される。ＮＲ撮影処理が実行されたときは、生画像データに重畳された固定パターンノイズが低減される。
【００５５】
ステップＳ４３またはＳ４５の処理が完了すると、ステップＳ４７で記録処理を実行する。この結果、生画像データに基づく圧縮画像データが、ファイル形式で記録媒体５４に記録される。記録処理が完了すると、ステップＳ５に戻る。
【００５６】
ステップＳ４３の通常撮影処理は、図７に示すサブルーチンに従って実行される。まずステップＳ５１で、垂直同期信号Ｖｓｙｎｃが発生したか否かを判別する。ここでＹＥＳであれば、ステップＳ５３でＴＧ／ＳＧ２０の読み出し態様を間引き読み出しから全画素読み出しに変更し、ステップＳ５５でメモリ制御回路４２の書き込み設定を変更する。書き込み設定の変更によって、図３（Ａ）に示す生画像エリア４４ａが書き込み先として指定される。
【００５７】
垂直同期信号Ｖｓｙｎｃが再度発生すると、ステップＳ５７でＹＥＳと判断し、ステップＳ５９でドライバ１６ｂを通してメカニカルシャッタ１４を閉じる。ステップＳ６１では、垂直同期信号Ｖｓｙｎｃが発生したか否かを判別し、ＹＥＳであれば、ステップＳ６３で読み出し処理の中断をＴＧ／ＳＧ２０に命令する。この結果、被写界を表す高画素数の生画像データが図３（Ａ）に示す生画像エリア４４ａに確保される。ステップＳ６３の処理が完了すると、上階層のルーチンに復帰する。
【００５８】
図６に示すステップＳ４５のＮＲ撮影処理は、図８〜図９に示すサブルーチンに従って実行される。まずステップＳ７１で、ドライバ１６ａを通してズームレンズ１２をワイド側に所定距離にわたって変位させる。ステップＳ７３では、有効画像エリアの中央に読み出しエリアＲ２を割り当てる命令をＴＧ／ＳＧ２０に与える。垂直同期信号Ｖｓｙｎｃが発生すると、ステップＳ７５でＹＥＳと判断し、ステップＳ７７でＴＧ／ＳＧ２０の読み出し態様を間引き読み出しから全画素読み出しに変更し、ステップＳ７９でメモリ制御回路４２の書き込み設定を変更する。ステップＳ７９の処理によって、図３（Ｂ）に示す生画像エリア４４ａが書き込み先として指定される。
【００５９】
垂直同期信号Ｖｓｙｎｃが再度発生すると、ステップＳ８１でＹＥＳと判断し、ステップＳ８３でドライバ１６ｂを通してメカニカルシャッタ１４を閉じる。ステップＳ８５では、垂直同期信号Ｖｓｙｎｃが発生したか否かを判別し、ＹＥＳであれば、ステップＳ８７でメモリ制御回路４２の書き込み設定を変更する。この時点で、被写界を表す高画素数の生画像データが生画像エリア４４ａに確保される。また、書き込み設定の変更によって、図３（Ｂ）に示すバッファエリア４４ｂが書き込み先として指定される。
【００６０】
ステップＳ８９では垂直同期信号Ｖｓｙｎｃが２回発生したか否かを判別し、ＹＥＳであればステップＳ９１で読み出し処理の中断をＴＧ／ＳＧ２０に命令する。この結果、黒画像を表す高画素数の生画像データがバッファエリア４４ｂに確保される。
【００６１】
ステップＳ９３では、ノイズ低減処理を実行する。生画像エリア４４ａに確保された生画像データに含まれる固定パターンノイズは、バッファエリア４４ｂに確保された生画像データを利用して低減される。ステップＳ９５では、ドライバ１６ａを制御してズームレンズ１２を元の位置つまりＮＲ撮影処理が開始される前の位置に戻す。ステップＳ９５の処理が完了すると、上階層のルーチンに復帰する。
【００６２】
以上の説明から分かるように、被写界を表す光学像は、ズームレンズ１２によって収束される。収束された光学像は、イメージセンサ１８の撮像面１８ｆに照射される。ＣＰＵ３０は、有効画像エリアに相当するサイズ（＝第１サイズ）を有する読み出しエリアＲ１を撮像面１８ｆに割り当てる(S7)。ズームレンズ１２は、読み出しエリアＲ１の割り当て処理に関連して、初期位置またはズームボタン６０によって指定された位置（＝第１位置）に配置される(S1, S17)。ビデオエンコーダ４８は、読み出しエリアＲ１で生成された被写界像に基づく動画像をＬＣＤモニタ５０に表示する(S13)。
【００６３】
シャッタボタン５８の全押しつまり記録指示を受け付けると、ビデオエンコーダ４８による被写界像の表示が中断され(S37)、有効画像エリアよりも小さいサイズ（＝第２サイズ）を有する読み出しエリアＲ２が撮像面１８ｆに割り当てられる(S73)。ＣＰＵ３０は、読み出しエリアＲ２の割り当て処理に関連して、現時点のズームレンズ１２の位置よりも所定距離だけワイド側の位置（＝第２位置）にズームレンズ１２を配置する。読み出しエリアＲ２で生成された被写界像は、記録処理によって記録媒体５４に記録される(S47)。
【００６４】
したがって、記録指示を受け付ける前は、読み出しエリアＲ１が撮像面１８ｆに割り当てられるとともにズームレンズ１２が初期位置または操作者によって指定された位置に配置され、読み出しエリアＲ１で生成された被写界像に基づく動画像が表示される。
【００６５】
記録指示を受け付けると、動画像の表示が中断される。さらに、読み出しエリアＲ２が撮像面１８ｆに割り当てられるとともに、ズームレンズ１２がワイド側に変位され、読み出しエリアＲ２で生成された被写界像が記録処理を施される。
【００６６】
これによって、記録処理を施される被写界像の画角を表示される被写界像の画角と一致させつつ、記録処理を施される被写界像の画素数を低減させることができる。この結果、画角の相違に起因する違和感の解消と、記録のために必要とされるメモリ容量の抑制とが図られる。
【００６７】
なお、この実施例では、スルー画像用ＡＥ処理または記録用ＡＥ処理によって調整するパラメータは、露光時間のみである。しかし、露光時間に代えてまたは露光時間とともに絞り量を調整するようにしてもよい。
【図面の簡単な説明】
【００６８】
【図１】この発明の一実施例の構成を示すブロック図である。
【図２】図１実施例に適用されるイメージセンサの撮像面の一例を示す図解図である。
【図３】（Ａ）は通常撮影処理を行うときのＳＤＲＡＭのマッピング状態の一部を示す図解図であり、（Ｂ）はＮＲ撮影処理を行うときのＳＤＲＡＭのマッピング状態の一部を示す図解図である。
【図４】（Ａ）はＬＣＤモニタに再現されるスルー画像の一例を示す図解図であり、（Ｂ）は通常撮影時に撮像面に照射される被写界像の一例を示す図解図であり、（Ｃ）はＮＲ撮影時に撮像面に照射される被写界像の一例を示す図解図である。
【図５】図１実施例に適用されるＣＰＵの動作の一部を示すフロー図である。
【図６】図１実施例に適用されるＣＰＵの動作の他の一部を示すフロー図である。
【図７】図１実施例に適用されるＣＰＵの動作のその他の一部を示すフロー図である。
【図８】図１実施例に適用されるＣＰＵの動作のさらにその他の一部を示すフロー図である。
【図９】図１実施例に適用されるＣＰＵの動作の他の一部を示すフロー図である。
【符号の説明】
【００６９】
１０  …ディジタルカメラ
１２  …ズームレンズ
１４  …メカニカルシャッタ
１８  …イメージセンサ
２４  …信号処理回路
３０  …ＣＰＵ
４４  …ＳＤＲＡＭ
５０  …ＬＣＤモニタ
【図１】
2007208359.tif 000003
【図２】
2007208359.tif 000004
【図３】
2007208359.tif 000005
【図４】
2007208359.tif 000006
【図５】
2007208359.tif 000007
【図６】
2007208359.tif 000008
【図７】
2007208359.tif 000009
【図８】
2007208359.tif 000010
【図９】
2007208359.tif 000011